(57)【要約】【課題】  リムーバブルメディアを用いる記録媒体装着装置において、複数のサイズのリムーバブルメディアの装着に対応して、動作中に誤って抜去されることを防止すること。【解決手段】  リムーバブルメディアを記録装置に装着しているときは当該リムーバブルメディアが記録装置から突出しないように、リムーバブルメディアを記録装置から外すときは記録装置から突出するようにリムーバブルメディアを接続するコネクタの位置を変化させる。【選択図】  図２
2010129159.tif 000002
【特許請求の範囲】
【請求項１】
サイズの異なる複数種類のリムーバブルメディアが装着される記録媒体装着装置であって、
装着されるリムーバブルディスクを収める筐体と、
前記筐体内でリムーバブルメディアが接続されるコネクタとを有し、
前記コネクタは、接続されるリムーバブルメディアが前記記録媒体装着装置に装着されているときは前記筐体から突出しないように、接続されるリムーバブルメディアを前記記録媒体装着装置から外すときは前記筐体から突出するように位置が変化する記録媒体装着装置。
【請求項２】
請求項１の記録媒体装着装置であって、
前記コネクタに接続されたリムーバブルメディアを前記筐体に固定するロック機構を有し、
前記コネクタに接続されたリムーバブルメディアに対して処理を行っているときは前記ロック機構による当該リムーバブルメディアの固定を解除しない記録媒体装着装置。
【請求項３】
第一のサイズのリムーバブルメディアと当該第一のサイズのリムーバブルメディアより大きい第二のサイズのリムーバブルメディアが装着される記録媒体装着装置であって、
装着されるリムーバブルメディアを収める筐体と、
前記筐体内でリムーバブルメディアが接続されるコネクタとを有し、
前記コネクタは、接続されるリムーバブルメディアが前記記録媒体装着装置に装着されているときは前記筐体から突出しないように、接続されるリムーバブルメディアを前記記録媒体装着装置から外すときは前記筐体から突出するように位置が変化する記録媒体装着装置。
【請求項４】
請求項３の記録媒体装着装置であって、
前記コネクタの位置を制限するコネクタ位置制限部とを有し、
前記コネクタ位置制限部は前記第一のサイズのリムーバブルメディアが装着されるときは前記コネクタの位置を制限する記録媒体装着装置。
【請求項５】
請求項３又は４の記録媒体装着装置であって、
前記コネクタに接続されたリムーバブルメディアを前記筐体に固定するロック機構を有し、
前記コネクタに接続されたリムーバブルメディアに対して処理を行っているときは前記ロック機構による当該リムーバブルメディアの固定を解除しない記録媒体装着装置。
【請求項６】
サイズの異なる複数種類のリムーバブルメディアを記録装置に装着する記録媒体装着方法であって、
リムーバブルメディアを前記記録装置に装着しているときは当該リムーバブルメディアが前記記録装置から突出しないように、リムーバブルメディアを前記記録装置から外すときは前記記録装置から突出するようにリムーバブルメディアを接続するコネクタの位置を変化させる記録媒体装着方法。
【請求項７】
請求項６の記録媒体装着方法であって、
前記コネクタに接続されたリムーバブルメディアを前記筐体に固定し、
前記コネクタに接続されたリムーバブルメディアに対して処理が行われているときは当該リムーバブルメディアの固定を解除しない記録媒体装着方法。
【発明の詳細な説明】
【技術分野】
【０００１】
技術分野は、リムーバブルハードディスク（ｉＶＤＲ等）などの記録媒体を用いて情報を記録・再生する情報記録再生装置に関するものである。
【背景技術】
【０００２】
近年、放送等の映像・音声コンテンツを記録する家庭用デジタルレコーダでは、記録媒体としてハードディスクや光ディスク（ＤＶＤ等）が用いられている。  特許文献１には、「Ｈ Ｄ Ｄ 自体が持つセキュリティのためのパスワード設定機能を利用しながら使い勝手の向上をはかった、ハードディスク装置およびそのアダプタ装置、ならびにプログラムを提供すること」（特許文献１［０００４］参照）を課題とし、その解決手段として「上位装置に対しては第１ のインタフェースを介して接続され、ハードディスク装置に対しては第２ のインタフェースを介して接続されるアダプタ装置であって、前記ハードディスク装置が接続されたことを検知したときは、前記上位装置に対し前記ハードディスク装置をリムーバブルデバイスとして認識させる手段と、前記接続されたハードディスク装置にパスワードによるセキュリティのロックが設定されていることを検知すると、前記セキュリティのロックが解除されるまでの間、前記上位装置に対して、接続された前記ハードディスク装置をリムーバブルメディアが挿入されていないリムーバブルデバイスとして認識させる手段と、を具備する」（特許文献２［０００５］参照）ことが記載されている。
【０００３】
また特許文献２には、「コネクタを有する記録媒体が自動的に搬送されるローディング機構を備えるとともに、コネクタが非対称の位置に配置された記録媒体であっても円滑に排出させることを可能とした記録媒体装着装置を提供する」（特許文献１［００１０］参照）ことを課題とし、その解決手段として「ローディング機構が、少なくとも前記排出方向へ移動する移動手段を有しており、前記移動手段には前記記録媒体を係合するとともに嵌合状態にある前記内部コネクタと前記外部接続部とを離脱状態に引き離す離脱部材が、前記外部接続部の幅方向の中心に対して対称となる位置に設けられていること」（特許文献１［００１１］参照）が記載されている。
【０００４】
また特許文献３には、「同じ装着ユニットに異なる大きさの記録媒体が装着可能な装置では、大きい記録媒体を装着した場合に装着ユニットから記録媒体が大きく突出し、使用しにくく、また、美観を大きく損なう」（特許文献１［０００５］参照）ことを課題とし、その解決手段として「前記装着ユニットは、前記筐体内に記録媒体の挿入方向へ配設されたガイドレールと、記録媒体の挿入に伴って記録媒体と共に前記ガイドレールに沿って移動可能であり、且つ、前記寸法が大きい記録媒体を挿入した場合に記録媒体の一部分が前記挿入口から突出する範囲内で移動して記録媒体を装着させる装着部材とを備え、該装着部材は、前記寸法が小さい記録媒体を挿入した場合の移動範囲が、前記寸法が大きい記録媒体を挿入した場合の移動範囲より小さくしてあること」（特許文献１［００１４］参照）が記載されている。
【０００５】
【特許文献１】特開２００６−１１３９８８号公報
【特許文献２】特開２００６−１０７６６７号公報
【特許文献３】特開２００６−２９４１７３号公報
【発明の開示】
【発明が解決しようとする課題】
【０００６】
ハードディスクは光ディスクよりも大容量で高速転送可能であるが、一般には据付型構造であるため、記録した情報を装置外に持ち出して他の装置で利用することが不便であった。この点を解消するため、ハードディスクをカートリッジに収納して可搬性を持たせたリムーバブルハードディスク（商標名：ｉＶＤＲ）が開発され、パソコンやテレビの新たな可搬メディアとして商品化されている。
【０００７】
リムーバブルハードディスクは、記録媒体としてハードディスクが用いられているため、記録媒体装着装置に装着し、アクセス中（記録あるいは再生中）にリムーバブルハードディスクの接続解除（排出）すると、記録されているデータ（コンテンツ）の破壊や、ハードディスクが物理的に破損する恐れがある。特許文献１に記載の記録媒体装着装置では、リムーバブルハードディスクにアクセス中にユーザーが誤って排出してしまうことを防止することについて何ら記載されていない。
【０００８】
また、特許文献２に記載の記録媒体装着装置では、リムーバブルハードディスクの装着と排出にモータ駆動を用いたローディング機構により機械的に行うことで、アクセス中に誤って排出されないようにしているが、ローディング機構を備えるため、モータやギヤなどの複雑な機構部品が多い構成となってしまう。
【０００９】
また、特許文献３は、リムーバブルハードディスクの両側面を金属製の弾性部で押圧することで保持している。しかし、摩擦による固定によるため、排出時にリムーバブルハードディスクが外れてそれを保持するスライドシャーシが取り残されてしまう可能性がある。
【００１０】
また、大小のリムーバブルハードディスクに対応させているが、リムーバブルハードディスクの一部が装置から突出しているため、特許文献１と同様にアクセス中の誤排出を防止することについては記載されていない。
【課題を解決するための手段】
【００１１】
上記課題を解決するために、本発明の一実施の態様は、リムーバブルメディアを記録装置に装着しているときは当該リムーバブルメディアが記録装置から突出しないように、リムーバブルメディアを記録装置から外すときは記録装置から突出するようにリムーバブルメディアを接続するコネクタの位置を変化させる。
【発明の効果】
【００１２】
上記手段によれば、ユーザにとって使い勝手の良い装置を提供することができる。例えば、サイズの異なるリムーバブルハードディスクの装着および排出をより効率的に行い、ユーザが操作を誤り動作中のリムーバブルディスクを排出してしまうことを防止し、さらにはコンテンツの破壊や物理的な破損を防止することができる。
【発明を実施するための最良の形態】
【００１３】
以下、実施例について図面を用いて説明する。図１は、本実施例にかかる記録媒体装着装置を示す外観図である。１は記録媒体装着装置であり、記録媒体装着装置１は、リムーバブルハードディスクを挿入する挿入口２を有し、リムーバブルハードディスクは矢印方向に挿入する。１５は記録媒体装着装置１の筐体である。
【００１４】
ここで、記録媒体装着装置１において、挿入口２の方を前面側とし、挿入口２と反対側を奥側とする。すなわち、リムーバブルハードディスクは前面側から奥側に挿入することになる。
【００１５】
図２はリムーバブルハードディスクの外観を示す斜視図である。ここでは、リムーバブルハードディスク１０ａ、１０ｂがｉＶＤＲ規格の場合について説明するが、これに限定されるわけではない。
【００１６】
図２には２種類のサイズのリムーバブルハードディスク１０ａ、１０ｂを示す。１０ａはそれぞれ２．５インチ、１０ｂは１．８インチのハードディスクを含んでおり、両者の幅は等しい（Ｗａ＝Ｗｂ＝８０ｍｍ）が、高さは（Ｈａ＝１２．７ｍｍ、Ｈｂ＝１０ｍｍ）で異なる。この高さの差はリムーバブルハードディスクの突出部１０１によるものであり、その部分は幅がＷａより小さくなっている。
【００１７】
奥行きも両者で異なる（Ｄａ＝１１０ｍｍ、Ｄｂ＝６７ｍｍ）。また装着を固定するためのリムーバブルハードディスク固定溝１０２,１０３が側面に配置されている。なお、両者のコネクタの形状、仕様は同一である。
【００１８】
図３は記録媒体装着装置の一実施例を示す内部構造図である。３ａ，３ｂは開閉部材、４ａ，４ｂはロック機構、５ａ，５ｂは引張りスプリング、６はコネクタ、７はコネクタ基板、８ａ，８ｂはレール、９ａ，９ｂは係止ピン、１１ａ，１１ｂはばねである。
【００１９】
コネクタ基板７はコネクタ６を実装しており反対面には係止ピン９ａ,９ｂを取り付けており筐体１のレール８ａ,８ｂ上を可動できる構造になっている。コネクタ基板７は挿入口２下部の筐体１５と引張りスプリング５ａ,５ｂで接続しており、コネクタ基板７は、引張りスプリング５ａ,５ｂにより前面側に引っ張られ、リムーバブルハードディスクが装着されていない状態では係止ピン９ａ、９ｂが、それぞれレール８ａ、８ｂの前面側端の位置にて、停止している。
【００２０】
開閉部材３ａ,３ｂは軸１２を中心に可動できる機構になっており、ばね１１ａ,１１ｂの力により筐体１５中心方向（矢印Ａ方向）に付勢されている。引張りスプリング５ａ,５ｂの引張り力以上の力をコネクタ基板６加えて後方に押されても開閉部材３ａ,３ｂによって固定される機構である。開閉部材３ａ,３ｂはコネクタ基盤６の位置の移動を制限するので、コネクタ位置制限部ともいう。
【００２１】
４ａ,４ｂはリムーバブルメディア下部のリムーバブルハードディスク固定溝１０２，１０３を利用したロック機構であり、詳細は後述する。
【００２２】
図４は開閉部材３ａの外観図である。なお、本例では開閉部材３ｂは開閉部材３ａを左右対称とした形状である。開閉部材３ａは軸１２ａを筐体１５に取り付けることにより軸１２ａを中心とした回動を可能とする機構とする。さらに、開閉部材３ａの上部には略三角形状の押出し部１３ａ、軸１２ａと反対側にはストッパー部１６ａが設けられている。
【００２３】
なお、押出し部１３ａの高さ方向位置は、リムーバブルハードディスク突出部１０１と同じ高さであり、リムーバブルハードディスク１０ａを挿入する際にはリムーバブルハードディスク突出部１０１が押し出し部１３ａと接触することで開閉部材３ａ、３ｂのストッパー部１６ａ、ｂによりコネクタ基盤７の動きが制限されることがなくなる。
【００２４】
一方、リムーバブルハードディスク１０ｂを挿入した際は、リムーバブルハードディスク１０ｂと押し出し部１３ａとは接触せず、開閉部材３ａ、３ｂのストッパー部１６ａ、ｂによりコネクタ基盤７の動きが制限されることになる。
【００２５】
図５はロック機構４ａの外観図である。ロック機構４ａは例えば、吸引型ソレノイドなどのアクチュエータであり、電気制御してプランジャーであるロック部１４を上下に移動させるものである。ここで、ロック部１４は図に示すように傾斜形状としてもよい。
【００２６】
ロック機構４は、リムーバブルハードディスク１０ａ，１０ｂをロック部１４により排出を制御する機構である。リムーバブルハードディスク１０ａ，１０ｂの装着する際にはロック部１４の傾斜によって押し下げられてリムーバブルハードディスクの装着を妨げないが、リムーバブルハードディスク１０ａ、１０ｂを排出する際には、ロック部１４ａを電気制御等により下げなければロック部１４ａがリムーバブルハードディスク１０ａ、１０ｂの溝に引っかかり排出できない仕組みとなっている。なお、ロック機構４ｂはロック機構４ａと同じ形状であり、同じ機能を有する。
【００２７】
図６はリムーバブルハードディスク装着の説明図である。図６（ａ）がリムーバブルハードディスクを装着していない状態、図６（ｂ）がリムーバブルハードディスク１０ａを装着した状態、図６（ｃ）がリムーバブルハードディスク１０ｂを装着した状態である。
【００２８】
図６（ａ）の状態ではコネクタ基板７に加わる力は引張りスプリング５ａ,５ｂのみであるためレール８ａ,８ｂの可動範囲の限度まで挿入口方向の位置にいる。Ｌ１の長さはリムーバブルハードディス１０ｂの奥行きより短くする。
【００２９】
図６（ｂ）においては、リムーバブルハードディスク１０ａが装着中にリムーバブルハードディスク突出部１０１が開閉部材３ａ,３ｂの押出し部１３を押し広げることにより、開閉部材３ａ，３ｂが回動している様子を示している。また、コネクタ基板７はリムーバブルハードディスク１０ａに押されることにより奥方向に移動する。このとき、開閉部材３ａ，３ｂは回動し、コネクタ基板７と契合することがなく、Ｌ２の位置まで移動する。
【００３０】
Ｌ２の位置は係止ピン９ａ，９ｂ（図示せず）がレール８ａ，８ｂの最奥端部まで移動した位置である。また、Ｌ２の長さはリムーバブルハードディス１０ａの奥行きとほぼ同じとすることにより、ユーザーがリムーバブルハードディスク１０ａを図に示す位置まで押し込むことにより、リムーバブルハードディスク１０ａの接続端子（図示せず）とコネクタ６が確実に接続される。さらに、リムーバブルハードディスク１０ａは、記録媒体装着装置１の内部に格納されされた位置において、ロック機構４ａ，４ｂにより、リムーバブルハードディスク１０ａが排出しないようにしている。ロック機構４ａ，４ｂの詳細については後述する。
【００３１】
図６（ｃ）はリムーバブルハードディスク１０ｂを装着した様子を示した図である。リムーバブルハードディスク１０ｂは高さが低いため、開閉部材３ａ,３ｂの押出し部１３に接触することはなく、開閉部材３ａ,３ｂは回動しない。よって、コネクタ基板７はリムーバブルハードディスク１０ａに押されることにより奥方向に移動する際、コネクタ基板７の両端部７ａ，７ｂが開閉部材３ａ,３ｂのストッパー部１６ａ，１６ｂに契合し、Ｌ３の位置まで移動し、それ以上奥側に移動できないこととなる。Ｌ３の長さはリムーバブルハードディス１０ｂの奥行きとほぼ同じとすることにより、ユーザがリムーバブルハードディスク１０ｂを図に示す位置まで押し込むことが可能となり、リムーバブルハードディスク１０ｂの接続端子（図示せず）とコネクタ６が接続される。
【００３２】
さらに、リムーバブルハードディスク１０ｂは、記録媒体装着装置１の内部に格納された位置において、ロック機構４ａ，４ｂにより、リムーバブルハードディスク１０ｂが排出しないようにしている。同様に、ロック機構４ａ，４ｂの詳細については後述する。
【００３３】
上記の構成とすることで、大きさの異なるリムーバブルハードディスク１０ａ，１０ｂを挿入した場合においても、それぞれのリムーバブルハードディスク１０ａ，１０ｂの奥行きとほぼ同じ位置以上に奥側方向にコネクタ基板７が移動しないようにしているため、ユーザがリムーバブルハードディスク１０ａ，１０ｂを挿入する力で、コネクタ６と確実に接続することが出来る。
【００３４】
さらに、リムーバブルハードディスク１０ａ，１０ｂが記録媒体装着装置１の内部に格納され、突出した部分がないため、ユーザがリムーバブルハードディスク１０ａ，１０ｂを容易に取り出すことは出来ない。
【００３５】
図７はロック機構４ａの動作説明図である。図７（ａ）,（ｂ）はリムーバブルハードディスク１０ａの場合、図７（ｃ）,（ｄ）はリムーバブルハードディスク１０ｂの場合である。図７（ａ）,（ｃ）はリムーバブルハードディスク１０ａ,１０ｂが装着された状態を維持している状態である。
【００３６】
ロック機構４ａのロック部１４が突出しており、リムーバブルハードディスク固定溝１０２,１０３に引っかかり引張りスプリング５ａから加わる排出動作を抑制している。図７（ａ）,（ｃ）の装着状態にてリムーバブルハードディスク１０ａ,１０ａは挿入口２に対して揃って挿入口からはみ出さない位置で装着していることにより、ユーザーが容易に排出できないようにしている。
【００３７】
リムーバブルハードディスクへの情報の記録、再生等の処理を行っている間はロック機構４のロック部１４を下げないようにすることで、情報の記録・再生動作中にリムーバブルハードディスクを誤って抜いてしまうことを防止することを可能とする。
【００３８】
図７（ｂ）,（ｄ）はロック機構４ａを解除した時の図である。ロック解除は、例えば記録媒体装着装置１にディスク排出ボタンを設けて、ユーザーがそのボタンを押すことによりロック解除動作を開始することとする。
【００３９】
ロック部１４を下に移動させることにより、リムーバブルハードディスク固定溝１０２，１０３との契合が解除されて、装着を維持する力が無くなるため引張りスプリング５ａの力によりリムーバブルハードディスク１０ａ，１０ｂの排出動作に移行する。
【００４０】
図に示すように、ロック解除した場合、リムーバブルハードディスク１０ａの場合は（Ｌ２−Ｌ１）の分だけ突出し、１０ｂの場合は、（Ｌ３−Ｌ１）の分だけ突出する。この突出部があることによりユーザーがリムーバブルハードディスク１０ａ，１０ｂを引き抜くことが可能となる。
【００４１】
このとき、ロック機構４ａの解除は電気的に行うため、解除タイミングを制御することができる。すなわち、情報の記録・再生動作中はロックを解除しないように制御することにより、リムーバブルハードディスク誤抜防止することを可能とする。
【００４２】
上記においてはロック機構４ａ、スプリング５ａについての説明だが、他方のロック機構４ｂ、スプリング５ｂについても同様の動作を行う。
【００４３】
以上、本実施例で説明したとおり、サイズの異なるリムーバブルハードディスクを装着する際に、サイズに合わせてコネクタ基板の位置を変えることで、装着時、そしてデータの書き込み時にリムーバブルハードディスクが突出しないようにすることができる。これにより、装置がリムーバブルハードディスクに対してデータの書き込み等の処理を行っている際にユーザが突出部を引っ張ること等によって当該リムーバブルディスクを排出してデータが破壊されることや、突出部にユーザが衝突等することによるリムーバブルハードディスクの物理的な破損を防止することができる。
【図面の簡単な説明】
【００４４】
【図１】本実施例にかかる記録媒体装着装置の一例を示す図。
【図２】リムーバブルハードディスクの一例を示す図
【図３】本実施例における記録媒体装着装置の一例を示す図。
【図４】本実施例における開閉部材の一例を示す図。
【図５】本実施例におけるロック機構の一例を示す図。
【図６】本実施例におけるリムーバブルハードディスクの装着の一例を説明する図。
【図７】本実施例におけるロック機構４ａの動作の一例を説明する図。
【符号の説明】
【００４５】
１・・・記録媒体装着装置
２・・・挿入口
１０ａ，１０ｂ・・・リムーバブルハードディスク
１０１・・・リムーバブルハードディスク突出部
１０２，１０３・・・リムーバブルハードディスク固定溝
３ａ，３ｂ・・・開閉部材
４ａ，４ｂ・・・ロック機構
５ａ，５ｂ・・・引張りスプリング
６・・・リムーバブルコネクタ
７・・・コネクタ基板
８ａ，８ｂ・・・レール
９ａ，９ｂ・・・係止ピン
１１ａ，１１ｂ・・・ばね
１２・・・軸
１３・・・押出し部
１４・・・ロック部
１５・・・筐体
【図１】
2010129159.tif 000003
【図２】
2010129159.tif 000004
【図３】
2010129159.tif 000005
【図４】
2010129159.tif 000006
【図５】
2010129159.tif 000007
【図６】
2010129159.tif 000008
【図７】
2010129159.tif 000009